(57)【要約】【課題】便座の側面部に操作部を配置した場合、飛散した小便によって操作部が不潔になるため、便座の開閉に伴って操作部を回動させるものがあるが、操作部と便座が本体ケースの側面に異なる枢支軸によって取り付けられているため、両方の枢支軸を連動させる機械的連動機構が必要となり、構成が複雑化し組み立ても複雑である。また、両方をモータで回動させる場合は、便座と便蓋の回動位置をそれぞれのセンサで検出し、それによって操作部のモータを駆動し、操作部を垂直状態と水平状態に回動する制御では、便座と便蓋の両方にセンサが必要であり、それに伴う制御が複雑化する。本発明は、これに代わる技術を提供するものである。【解決手段】洋式便器上に便座を開閉自在に支持した便座本体部が設置され、スイッチの操作部を便座の側面に沿って配置した温水洗浄便座において、操作部の回動軸と便座の回動軸を同軸構成とした。【選択図】図１
2010053636.tif 000002
【特許請求の範囲】
【請求項１】
便座を開閉自在に支持した便座本体部が洋式便器上に設置され、スイッチの操作部を前
記便座の側面に沿って配置した洗浄便座装置において、前記操作部の回動軸と前記便座の
回動軸を同軸構成としたことを特徴とする洗浄便座装置。
【請求項２】
便座を開閉自在に支持した便座本体部が洋式便器上に設置され、スイッチの操作部を前
記便座の側面に沿って配置した洗浄便座装置において、前記操作部は前記便座の開閉回動
と共に回動するよう前記便座の回動軸部に組み合わされ、前記操作部側の電気部品と前記
便座本体部側の電気部品とを接続するリード線が前記回動軸部を貫通して配線されたこと
を特徴とする洗浄便座装置。
【請求項３】
便座を開閉自在に支持した便座本体部が洋式便器上に設置され、供給された上水を温め
る加温部及びこの加温部で温められた温水を人体の局部に向けて噴射する洗浄ノズルを前
記便座本体部に備え、スイッチの操作部を前記便座の側面に沿って配置した洗浄便座装置
において、前記便座の後端部には前記便座の回動軸を構成する回動軸部材が取り付けられ
、前記操作部から延びた環状結合部が前記回動軸部材の外周に結合されて前記操作部は前
記便座の開閉回動と共に回動可能であり、前記操作部側の電気部品と前記便座本体部側の
電気部品とを接続するリード線が前記回動軸部材の回動軸部を貫通して配線されたことを
特徴とする洗浄便座装置。
【発明の詳細な説明】
【技術分野】
【０００１】
本発明は、洋式便器上に便座を開閉自在に支持した便座本体部が設置され、スイッチの
操作部を前記便座の側面に沿って配置した洗浄便座装置に関する。
【背景技術】
【０００２】
洋式便器上に便座と便蓋を開閉自在に支持した便座本体部を構成する本体ケースが設置
され、この本体ケース内には、便座と便蓋を開閉作動させるモータ機構、供給された上水
を温める温水タンク等の加温部と、この加温部で温められた温水を人体の局部に向けて噴
射する洗浄ノズル等が収納され、この本体ケースの側面に操作部が取り付けられた温水洗
浄便座がある。（特許文献１参照）。
【特許文献１】特開２００５−２９０９６７号公報
【発明の開示】
【発明が解決しようとする課題】
【０００３】
特許文献１のものは、従来、本体ケースの側面に操作部が取り付けられている場合、便
座と便蓋の開閉に拘らず操作部は固定状態であるため、便座と便蓋を開いて男子が小便す
る場合、飛散した小便が操作部の表面に付着して不潔になることを避けるために、便座の
開閉に伴って操作部が回動するようにしたものである。
【０００４】
特許文献１のものは、操作部と便座が、本体ケースの側面に別々の枢支軸によって取り
付けられており、便座を手動で開閉する場合とモータ機構によって開閉する場合のいずれ
においても、便座の枢支軸と操作部の枢支軸を連動アームによって連結することにより、
便座の開閉に連動して操作部を垂直状態と水平状態に回動するようにした第１の技術と、
このような連動アームを設けずに、便座の枢支軸に設けた歯車と操作部の枢支軸に設けた
歯車を歯付きベルトで掛け渡して、便座の開閉に連動して操作部を垂直状態と水平状態に
回動するようにした第２の技術と、便座の枢支軸と操作部の枢支軸をそれぞれ別個のモー
タによって回動するようにした第３の技術が開示されている。
【０００５】
このように特許文献１のものは、操作部と便座が、本体ケースの側面に異なる枢支軸に
よって取り付けられているため、両方の枢支軸を連動させる機械的連動機構が必要となり
、構成が複雑化し組み立ても複雑である。また、両方の枢支軸をそれぞれのモータによっ
て回動させる場合には、便座の枢支軸と便蓋の枢支軸の回動位置をそれぞれのセンサで検
出し、それによって操作部のモータを駆動し、操作部を垂直状態と水平状態に回動するよ
う制御するため、便座と便蓋の両方にセンサが必要であり、それに伴う制御が複雑化する
。
【０００６】
本発明は、特許文献１の技術に比して、構成の簡素化と組み立てし易い構成によって、
便座を開いて男子が小便する場合、この操作部の表面に小便の一部分が付着して不潔にな
ることを避ける技術を提供する。また、洋式便器内で発生した湿気を帯びた空気が隙間か
ら本体ケース内に侵入し、更にこれが操作部内に侵入して操作部内の電気部品へ付着した
場合、電子部品の故障の原因になるが、本発明は、このような湿気を帯びた空気が操作部
内に侵入することを防止する構成にするために、操作部内の電気部品と本体ケース内の電
気部品とを接続するリード線の配線のし易さと、便座に対する操作部の結合のし易さを考
慮した技術を提供する。
【課題を解決するための手段】
【０００７】
第１発明は、便座を開閉自在に支持した便座本体部が洋式便器上に設置され、スイッチ
の操作部を前記便座の側面に沿って配置した洗浄便座装置において、前記操作部の回動軸
と前記便座の回動軸を同軸構成としたことを特徴とする。
【０００８】
第２発明は、便座を開閉自在に支持した便座本体部が洋式便器上に設置され、スイッチ
の操作部を前記便座の側面に沿って配置した洗浄便座装置において、前記操作部は前記便
座の開閉回動と共に回動するよう前記便座の回動軸部に組み合わされ、前記操作部側の電
気部品と前記便座本体部側の電気部品とを接続するリード線が前記回動軸部を貫通して配
線されたことを特徴とする。
【０００９】
第３発明は、便座を開閉自在に支持した便座本体部が洋式便器上に設置され、供給され
た上水を温める加温部及びこの加温部で温められた温水を人体の局部に向けて噴射する洗
浄ノズルを前記便座本体部に備え、スイッチの操作部を前記便座の側面に沿って配置した
洗浄便座装置において、前記便座の後端部には前記便座の回動軸を構成する回動軸部材が
取り付けられ、前記操作部から延びた環状結合部が前記回動軸部材の外周に結合されて前
記操作部は前記便座の開閉回動と共に回動可能であり、前記操作部側の電気部品と前記便
座本体部側の電気部品とを接続するリード線が前記回動軸部材の回動軸部を貫通して配線
されたことを特徴とする。
【発明の効果】
【００１０】
第１発明では、操作部の回動軸と便座の回動軸を同軸構成としたことにより、操作部の
回動と便座の回動の同期が取り易くなり、スムースな回動が得られ、便座の開放と共に操
作部も持ち上がるようになるため、便座を開いて男子が小便する場合、この操作部の表面
に小便の一部分が付着し難く、不潔になることを避けることができる。
【００１１】
第２発明では、便座の開放と共に操作部も同軸で持ち上がるようになるため、便座を開
いて男子が小便する場合、この操作部の表面に小便の一部分が付着し難く、不潔になるこ
とを避けることができる。そして、操作部は便座の回動軸部に組み合わされ、操作部の回
動軸と便座の回動軸が同軸構成となり、操作部の回動と便座の回動の同期が取り易くなり
、スムースな回動が得られる。また、操作部側の電気部品と便座本体部側の電気部品とを
接続するリード線が回動軸部を貫通して配線されるため、配線のし易さと、便座に対する
操作部の結合のし易さが考慮された構成となる。このため、リード線が回動軸部を貫通す
る部分をゴムシール材などでシールすることにより、便座本体部内から操作部内への湿気
の侵入防止がし易くなる。
【００１２】
第３発明では、便座の開放と共に操作部も同軸で持ち上がるようになるため、便座を開
いて男子が小便する場合、この操作部の表面に小便の一部分が付着し難く、不潔になるこ
とを避けることができる。そして、便座の後端部に取り付けた回動軸部材が便座の回動軸
を構成するため、この回動軸部材を介して便座と操作部が結合されることとなり、操作部
の回動軸と便座の回動軸が同軸構成となり、操作部の回動と便座の回動の同期が取り易く
なり、スムースな回動が得られる。また、操作部側の電気部品と便座本体部側の電気部品
とを接続するリード線の配線は、回動軸部を貫通して可能となり、配線のし易さ、便座の
回動軸部の構成のし易さ、及び便座と操作部の結合のし易さが達成できるものとなる。こ
のため、リード線が回動軸部を貫通する部分をゴムシール材などでシールすることにより
、便座本体部内から操作部内への湿気の侵入防止がし易くなる。
【発明を実施するための最良の形態】
【００１３】
本発明に係る洗浄便座装置は、便座を開閉自在に支持した便座本体部が洋式便器上に設
置され、スイッチの操作部を前記便座の側面に沿って配置したものにおいて、前記操作部
の回動軸と前記便座の回動軸を同軸構成としたものである。以下、本発明の実施形態を記
載する。
【実施例１】
【００１４】
本発明の実施形態について説明する。図１は本発明に係る洗浄便座装置の便蓋を開いた
斜視図、図２は本発明に係る便座と操作部が同軸構成の回動軸部を示す断面図、図３は洋
式便器の上に設置した本発明に係る洗浄便座装置の便蓋を開いた状態の斜視図、図４は洋
式便器の上に設置した本発明に係る洗浄便座装置の便蓋と便座を開いた状態の斜視図、図
５は本発明に係る操作部の断面図、図６は本発明に係る便座と操作部が同軸構成の回動軸
部を示す斜視図、図７は本発明に係る便座と操作部が同軸構成の回動軸部の分解斜視図で
ある。
【００１５】
図１乃至図４において、１は洋式便器ＢＫの上に着脱可能に設置された本発明の洗浄便
座装置を示しており、洗浄便座装置１は、洋式便器ＢＫの上に設置される便座本体部１０
と、便座本体部１０に後部軸を中心として上下方向へ回動可能に支持した便座２及び便蓋
３を備えた構成である。
【００１６】
便座本体部１０のケース部７内には、温水洗浄に係る機能部を収納している。この温水
洗浄に係る機能部は、市水等の水道管から電磁弁や減圧弁を介して導入した水を電気ヒー
タで所定温度に加熱する加温部として機能する温水タンク（いずれも図示せず）と、この
温水タンクの温水を人体の局部洗浄用として噴出する洗浄ノズル等を備えている。実施例
では、この洗浄ノズルとして、便座２の後部下側へ延びるおしり（肛門）洗浄用ノズル４
Ａとビデ洗浄用ノズル４Ｂを図示している。便座２は、内部に収納配置した絶縁被覆され
たコードヒータで形成した便座ヒータ（図示せず）で加温される。
【００１７】
洗浄ノズル４Ａ、４Ｂの進出退避等のスイッチの操作部３０が、便座２の側面（図示の
ものは正面視で左方）に沿って略水平に配置されている。図５及び図６に示すように、操
作部３０は、ボックス状をなし、その中に絶縁性基板３１を水平状態に収納し、絶縁性基
板３１には、各種の操作スイッチと、ＬＥＤ表示部が取り付けられている。この操作スイ
ッチとして、おしり（肛門）洗浄開始スイッチ３４、ビデ洗浄開始スイッチ３５、洗浄停
止スイッチ３３、洗浄水の水勢増減スイッチ３６と３７、前記温水タンクの温水温度調節
スイッチ３８、前記便座ヒータによる便座２の温度を可変する便座温度調節スイッチ３９
、前記便座ヒータの発熱を下げる節電スイッチ４０が設けられ、また、ＬＥＤ表示部とし
て、水勢増減スイッチ３６と３７に対応して水勢の強中弱の状態を５段階で表示するＬＥ
Ｄ４１、温水温度調節スイッチ３８に対応して温水温度を低中高の３段階で表示するＬＥ
Ｄ４２、便座温度調節スイッチ３９に対応して便座温度を低中高の３段階で表示するＬＥ
Ｄ４３、節電スイッチ４０に対応して節電状態を表示するＬＥＤ４４、及び温水洗浄便座
装置１の電源のＯＮ状態を表示するＬＥＤ４５が設けられている。
【００１８】
操作部３０の上壁４７には、これら操作スイッチ及びＬＥＤ表示部の対応部分に貫通孔
を形成しており、操作部３０の上壁４７の上面は、前記貫通孔を塞ぐようにこれら操作ス
イッチに対応する部分が可撓性を有し、且つＬＥＤ表示部に対応する部分が透光性を有す
るフィルム４６で覆われている。このため、これらスイッチに対応するフィルム４６の押
圧部分を押すことによって、対応するスイッチが作動する。なお、便座２と便座２の上面
を覆う便蓋３を上下方向に電動機にて開閉する場合には、その開閉スイッチとその押圧部
分を前記スイッチ同様に操作部３０に設ければよい。
【００１９】
通常、使用者が便蓋３を開き、便座２に着座して着座検出スイッチ（図示せず）が動作
した状態で、おしり（肛門）洗浄開始スイッチ３４をＯＮすることによって、前記電磁弁
（図示せず）が開き、前記水道管（図示せず）の水圧が前記温水タンク内に掛かり、この
水圧によっておしり（肛門）洗浄用ノズル４Ａがバネ力に抗して進出し、前記温水タンク
内の温水の洗浄水がおしり（肛門）洗浄用ノズル４Ａから噴出される。また、上記のよう
に着座検出スイッチが動作した状態で、ビデ洗浄開始スイッチ３５をＯＮすることによっ
て、温水タンクを通して掛かる水道管の水圧によってビデ洗浄用ノズル４Ｂがバネ力に抗
して進出し、温水タンク内の温水の洗浄水がビデ洗浄用ノズル４Ｂから噴出される。この
進出したおしり（肛門）洗浄用ノズル４Ａまたはビデ洗浄用ノズル４Ｂは、洗浄停止スイ
ッチ３３をＯＮすることによって、前記電磁弁（図示せず）が閉じ、前記バネ力によって
元の位置へ退避する。
【００２０】
便座２と便座２の上面を覆う便蓋３を上下方向に開閉する構成を説明する。便座２の左
右後端部とこれに対応する便座本体部１０の左右端部は、便座２の前端が上下方向に回動
して便座２が開閉されるように、便座２の回動軸部６０Ａ、６０Ｂを構成している。便蓋
３の左右後端部とこれに対応する便座本体部１０の左右端部は、便蓋３の前端が上下方向
に回動して便蓋３が開閉されるように、便蓋３の回動軸部６１Ａ、６１Ｂを構成している
。この場合、便座２と便蓋３は手動で開閉させる。
【００２１】
便座２の回動軸部６０Ａ、６０Ｂは、軸とこの軸を支える軸受けとからなり、便座２と
便座本体部１０のいずれか一方にこの軸を設け、他方に軸受けを設ければよい。実施例で
は、左側の回動軸部６０Ａは、便座２から内側向きに略水平に突出する軸６２Ａ１が、便
座本体部１０の部分６０Ａ１に設けた軸受け部６２Ａ２に回動可能に支持され、右側の回
動軸部６０Ｂは、便座２から内側向きに略水平に突出する軸６２Ｂ１が、便座本体部１０
の部分６０Ｂ１に設けた軸受け部６２Ｂ２に回動可能に支持される構成である。
【００２２】
本発明では、操作部３０の回動軸と便座２の回動軸を同軸構成とする。そして、操作部
３０は便座２の開閉回動と共に回動するように、便座２の回動軸部６０Ａに組み合わされ
ている。具体的には、便座２の左側の回動軸部６０Ａは、便座２から内側向きに略水平に
突出する回動軸６２Ａ１が、便座本体部１０の軸受け形成部分６０Ａ１に設けた軸受け部
６２Ａ２に回動可能に支持される構成であり、便座２の後端部には、便座２の回動軸６２
Ａ１を構成する回動軸部材６３が取り付けられている。回動軸部材６３は、中央に筒部で
構成した回動軸６２Ａ１とその外周に環状の取り付けフランジ６４を一体に形成している
。操作部３０は、便座２の左側面に沿って前後に略水平に延びた形状であり、その中間部
（図示のものは前後の略中央部）から右方へ延びた支持腕６５の先端に形成した環状結合
部６６が、回動軸部材６３の筒部の外周に嵌合している。
【００２３】
便座２の左側後端部には、左外方に開口した環状の保持部６７が形成されている。回動
軸６２Ａ１が軸受け６２Ａ２に支持されるように、この環状の保持部６７の内側の側壁６
７Ａを回動軸６２Ａ１が貫通すると共に、フランジ６４が側壁６７Ａに当接状態に、この
保持部６７内に左外方から回動軸部材６３が組み合わされる。そして、フランジ６４の左
方部において回動軸部材６３の筒部と保持部６７の環状壁との間に形成される環状空間に
、操作部３０の環状結合部６６が左外方から挿入された組み合わせを構成し、この組み合
わせ状態において、環状結合部６６の外面６６Ａが、環状保持部６７の左外方の開口を塞
ぐ。そして、この組み合わせ状態において、保持部６７の側壁６７Ａ、回動軸部材６３の
フランジ６４及び環状結合部６６がネジ６８によって固定され、保持部６７の環状壁、環
状結合部６６及び回動軸部材６３の筒部がネジ６９によって固定される。
【００２４】
これによって、便座２と操作部３０が、回動軸部材６３を介して一体化された状態とな
り、操作部３０は便座２の開閉回動と共に回動するように、便座２の回動軸部６０Ａに組
み合わされている。このため、便座２は、回動軸６２Ａ１が軸受け６２Ａ２に支持された
状態を保って、前部が上下方向へ回動可能（所謂、開閉可能）となり、これに伴って、操
作部３０は便座２の開閉回動と共に回動する。
【００２５】
便座２の右側の回動軸部６０Ｂは、便座２から内側向きに略水平に突出する軸６２Ｂ１
が、便座本体部１０の部分６０Ｂ１に設けた軸受け部６２Ｂ２に回動可能に支持される構
成であり、便座２の右側後端部には、操作部３０と支持腕６５が存在しない状態で、左側
後端部と対称構成をなしている。このため、便座２の右側後端部には、左側後端部の回動
軸部材６３、外面６６Ａを形成した環状結合部６６、及び環状の保持部６７がネジ６８、
６９によって結合された構成と対称形の構成をなしている。これによって、便座２の右側
後端部は、回動軸６２Ｂ１が軸受け６２Ｂ２に支持された状態を保ち、便座２の左側後端
部は、上記のように回動軸６２Ａ１が軸受け６２Ａ２に支持された状態を保つため、便座
２の前部が上下方向へ回動可能（所謂、開閉可能）となる。
【００２６】
本発明では、操作部３０内の電気部品（絶縁性基板３１及び前記各スイッチ等の電気部
品）と、便座本体部１０のケース７内の電気部品（便座本体側の絶縁性基板及びそれに取
り付けた電気部品等）とを接続するリード線７０が回動軸部６０Ａを貫通して配線されて
いる。具体的には、回動軸部材６３が回動軸６２Ａ１を形成した筒状であり、この筒状回
動軸６２Ａ１を貫通して、リード線７０が配線されている。
【００２７】
操作部３０は、便座２に着座した人が操作し易い高さを維持するために、操作部３０の
上面は回動軸６２Ａ１の中心と略同等の高さであり、本体部１０のケース７内の電気部品
から延びるリード線７０は、回動軸６２Ａ１内を略水平に通り、回動軸６２Ａ１よりも低
い位置にある支持腕６５の中空部を通って操作部３０内へ入る。また、リード線７０の他
に、回動軸６２Ａ１内を通るリード線として、便座２を加温する前記便座ヒータへの通電
用リード線７０Ａがある。なお、リード線７０Ａの配線がし易いように、回動軸部材６３
の筒部の左外方部には、リード線７０Ａが通る切り欠き７１が形成されている。
【００２８】
人体の局部洗浄を洗浄ノズルから噴出する温水によって行なう場合、洋式便器ＢＫ内で
発生した湿気を帯びた空気が、隙間から本体部１０のケース７内に侵入し、回動軸６２Ａ
１内を通るリード線７０、７０Ａの周囲の隙間を通って操作部３０内に侵入する。この侵
入した湿気が、操作部３０内の電気部品（絶縁性基板３１及び前記各スイッチ等の電気部
品）に付着した場合、または操作部３０内に侵入した蒸気が操作部３０の内壁に付着して
結露し、この結露水が操作部３０内の電気部品（絶縁性基板３１及び前記各スイッチ等の
電気部品）に落下した場合、これら電気部品の故障や動作不良の原因になる。本発明では
、これを防止するために、回動軸６２Ａ１内を通るリード線７０、７０Ａの周囲の隙間を
塞ぐように、弾性ゴム材、シールパテ材等のシール材７３を回動軸部材６３の筒部内に充
填することによって、この隙間を埋めて湿気の通過を防止するようにしている。
【００２９】
上記のように、便座２の後端部には、便座２の回動軸部６０Ａを構成するよう環状の保
持部６７に回動軸部材６３が取り付けられ、操作部３０から延びた環状結合部６６が回動
軸部材６３の外周に結合されて、操作部３０は便座２の開閉回動と共に回動可能であり、
操作部３０内の電気部品と便座本体部１０のケース部７内の電気部品とを接続するリード
線７０が、回動軸部材６３の回動軸部６２Ａ１を貫通して配線された構成であり、便座２
の開閉回動と共に操作部３０が回動する。このため、この開閉回動によってリード線７０
が捩じ切れることはなく、開閉の支障とならない。そして、便座本体部１０のケース部７
内に侵入した蒸気が操作部３０内に侵入することを防止するシール構造も、この回動軸部
材６３の部分で行なうことができ、シール作業もし易く、良好なシールが達成できるもの
となる。
【００３０】
上記では、便座２の左側後端部と右側後端部を対称構成とするものであるが、対称構成
に拘らなければ、便座２の左側後端部は、保持部６７の側壁６７Ａに中空の回動軸部６０
Ａを一体形成し、回動軸部材６３を省略した構成とすることでも同様の効果を奏すること
ができる。
【００３１】
また、便座２と便座２の上面を覆う便蓋３を上下方向に電動機にて開閉する場合は、そ
の開閉スイッチとその操作部を操作部３０に設ける。そして、便蓋３を上下方向に開閉す
る電動機構は、ケース部７内、または、軸支持部６１Ａの便座本体部１０の部分６１Ａ１
内、または軸支持部６１Ｂの便座本体部１０の部分６１Ｂ１内に設ける。また、便座２を
上下方向に開閉する電動機構は、ケース部７内、または、軸支持部６０Ａの便座本体部１
０の軸受け形成部分６０Ａ１内、または軸支持部６０Ｂの便座本体部１０の軸受け形成部
分６０Ｂ１内に設ければよい。本発明では、上記のように、便座２の左方側に操作部３０
を配置しているため、便座２を上下方向に開閉する電動機構は、操作部３０とは反対側と
なるように、構造的には、軸支持部６０Ｂの便座本体部１０の軸受け形成部分６０Ｂ１内
に設けることが好ましい。
【産業上の利用可能性】
【００３２】
本発明は、上記実施例に示した構成に限定されず、種々の形態の温水洗浄便座に適用で
きるものであり、本発明の技術範囲において種々の形態を包含するものである。
【図面の簡単な説明】
【００３３】
【図１】本発明に係る洗浄便座装置の便蓋を開いた斜視図である。
【図２】本発明に係る便座と操作部が同軸構成の回動軸部を示す断面図である。
【図３】洋式便器の上に設置した本発明に係る洗浄便座装置の便蓋を開いた状態の斜視図である。
【図４】洋式便器上に設置した本発明に係る洗浄便座装置の便蓋と便座を開いた状態の斜視図である。
【図５】本発明に係る操作部の断面図である。
【図６】本発明に係る便座と操作部が同軸構成の回動軸部を示す斜視図である。
【図７】本発明に係る便座と操作部が同軸構成の回動軸部の分解斜視図である。
【符号の説明】
【００３４】
１・・・・・洗浄便座装置
２・・・・・便座
３・・・・・便蓋
４Ａ・・・・おしり（肛門）洗浄用ノズル
４Ｂ・・・・ビデ洗浄用ノズル
７・・・・・ケース部
１０・・・・便座本体部
３０・・・・操作部
６０Ａ・・・便座の回動軸部
６０Ｂ・・・便座の回動軸部
６１Ａ・・・便蓋の回動軸部
６１Ｂ・・・便蓋の回動軸部
６２Ａ１・・回動軸
６２Ａ２・・軸受け
６２Ｂ１・・回動軸
６２Ｂ２・・軸受け
６３・・・・回動軸部材
６４・・・・取り付けフランジ
６５・・・・支持腕
６６・・・・環状結合部
６６Ａ・・・環状結合部６６の外面
６７・・・・保持部
６８・・・・ネジ
６９・・・・ネジ
７０・・・・リード線
７０Ａ・・・リード線
ＢＫ・・・洋式便器
【図１】
2010053636.tif 000003
【図２】
2010053636.tif 000004
【図３】
2010053636.tif 000005
【図４】
2010053636.tif 000006
【図５】
2010053636.tif 000007
【図６】
2010053636.tif 000008
【図７】
2010053636.tif 000009